(57)【要約】【課題】適切にアナログ公衆回線網に接続されているグループ３ファクシミリ装置に対してファクシミリ通信を行うことができるようにしたネットワーク通信装置を提供することを目的としている。【解決手段】ＩＴＵ−Ｔ標準Ｔ．３８通信機能を備え、ＩＰ網を介して通信を行う機能を備えたネットワーク通信装置において、発呼時、Ｔ．３８通信能力およびダミーの音声能力を含む呼接続用信号を生成して呼接続動作を開始し、相手先ネットワーク通信装置より受信した呼接続用信号に基づいて、相手先ネットワーク通信装置がＴ．３８通信機能を備えていないことを検出すると、ダミーのＣＮＧパケットを送出した後に、Ｔ．３８通信動作を行うようにした。【選択図】        図４
2006157120.tif 000002
【特許請求の範囲】
【請求項１】
音声通信機能を備えず、ＩＴＵ−Ｔ標準Ｔ．３８通信機能を備え、ＩＰ網を介して通信を行う機能を備えたネットワーク通信装置において、
発呼時、Ｔ．３８通信能力およびダミーの音声能力を含む呼接続用信号を生成して呼接続動作を開始し、
相手先ネットワーク通信装置より受信した呼接続用信号に基づいて、相手先ネットワーク通信装置がＴ．３８通信機能を備えていないことを検出すると、ダミーのＣＮＧパケットを送出した後に、Ｔ．３８通信動作を行うようにしたことを特徴とするネットワーク通信装置。
【請求項２】
音声通信機能を備えず、ＩＴＵ−Ｔ標準Ｔ．３８通信機能を備え、ＩＰ網を介して通信を行う機能を備えたネットワーク通信装置において、
発呼時、Ｔ．３８通信能力およびダミーの音声能力を含む呼接続用信号を生成して呼接続動作を開始し、
相手先ネットワーク通信装置より受信した呼接続用信号に基づいて、相手先ネットワーク通信装置がＴ．３８通信機能を備えていないで、かつ、前記ダミーの音声能力を備えていることを検出した場合には、ダミーのＣＮＧパケットを送出した後に、Ｔ．３８通信動作を行う一方、
相手先ネットワーク通信装置がＴ．３８通信機能を備えていないで、かつ、前記ダミーの音声能力を備えていないことを検出した場合には、ダミーのＣＮＧパケットを送出せずに、Ｔ．３８通信動作を行うようにしたことを特徴とするネットワーク通信装置。
【請求項３】
音声通信機能を備えず、ＩＴＵ−Ｔ標準Ｔ．３８通信機能を備え、ＩＰ網を介して通信を行う機能を備えたネットワーク通信装置において、
発呼時、Ｔ．３８通信能力およびダミーの音声能力を含む呼接続用信号を生成して呼接続動作を開始し、
自端末の通信機能について、帯域制限が設定されていない場合には、相手先ネットワーク通信装置より受信した呼接続用信号に基づいて、相手先ネットワーク通信装置がＴ．３８通信機能を備えていないで、かつ、前記ダミーの音声能力を備えていることを検出したときには、ダミーのＣＮＧパケットを送出した後に、Ｔ．３８通信動作を行うとともに、相手先ネットワーク通信装置がＴ．３８通信機能を備えていないで、かつ、前記ダミーの音声能力を備えていないことを検出したときには、ダミーのＣＮＧパケットを送出せずに、Ｔ．３８通信動作を行う一方、
自端末の通信機能について、帯域制限が設定されている場合には、ダミーのＣＮＧパケットを送出せずに、Ｔ．３８通信動作を行うようにしたことを特徴とするネットワーク通信装置。
【発明の詳細な説明】
【技術分野】
【０００１】
本発明は、音声通信機能を備えず、ＩＴＵ−Ｔ標準Ｔ．３８通信機能を備え、ＩＰ網を介して通信を行う機能を備えたネットワーク通信装置に関する。
【背景技術】
【０００２】
従来、ＩＰ網を介してファクシミリ通信（リアルタイムファクシミリ通信）を行うために、例えば、ＩＴＵ−Ｔ標準Ｔ．３０信号をＩＰパケット化してやり取りするＩＴＵ−Ｔ標準Ｔ．３８方式や、ファクシミリデータを音声データとして取り扱って通信を行うＩＴＵ−Ｔ標準Ｇ．７１１（ＰＣＭ）方式などが実用されている。（非特許文献１参照）
【０００３】
ここで、ＩＴＵ−Ｔ標準Ｔ．３８方式でファクシミリ通信を行う場合、音声能力は必須ではないため、ＩＴＵ−Ｔ標準Ｔ．３８に準拠したファクシミリ通信に必要な能力さえあれば通信可能であった。
【０００４】
また、ＩＴＵ−Ｔ標準Ｇ．７１１（ＰＣＭ）方式では、ファクシミリデータを音声データに変換し、それを音声チャネルでやり取りすれば通信可能であった。
【０００５】
したがって、ＩＴＵ−Ｔ標準Ｔ．３８方式でリアルタイムファクシミリ通信を行う場合には、ファクシミリ通信用の通信チャネルのみを確立すればよく、また、ＩＴＵ−Ｔ標準Ｇ．７１１（ＰＣＭ）方式でリアルタイムファクシミリ通信を行う場合には、音声チャネルのみを確立すればよい。
【非特許文献１】ＴＴＣ標準  ＪＴ−Ｈ３２３
【発明の開示】
【発明が解決しようとする課題】
【０００６】
一方、近年、ＶｏＩＰ（Ｖｏｉｃｅ  ｏｖｅｒ  ＩＰ）ゲートウェイを介して、インターネット等のＩＰ網と、アナログ公衆回線網（ＰＳＴＮ）を接続することで、ＩＰ網の内側の電話端末と、アナログ公衆回線網に収容されている電話端末との間で通話が可能になりつつある。
【０００７】
ここで、ＶｏＩＰゲートウェイは、例えば、ＩＴＵ−Ｔ標準Ｈ．３２３端末やＳＩＰ（Ｓｅｓｓｉｏｎ  Ｉｎｉｔｉａｔｉｏｎ  Ｐｒｏｔｏｃｏｌ）端末が利用可能なゲートウェイ機能であり、ＩＴＵ−Ｔ標準Ｔ．３８方式でリアルタイムファクシミリ通信を行うＴ．３８端末装置は、Ｈ．３２３端末に含まれるものであるから、このＶｏＩＰゲートウェイを利用することで、ＩＰ網の内側のＴ．３８端末と、アナログ公衆回線網に収容されているグループ３ファクシミリ装置との間でファクシミリ通信が可能となる。
【０００８】
ところが、Ｔ．３８端末装置から、アナログ公衆回線網に接続されているグループ３ファクシミリ装置へ発呼する際、次のような不具合を生じることがあった。
【０００９】
すなわち、Ｔ．３８端末装置がグループ３ファクシミリ装置へ発呼動作を行う際には、上述したように、Ｔ．３８端末装置は、ＶｏＩＰゲートウェイを介してアナログ公衆回線網へ接続される。
【００１０】
そして、このＶｏＩＰゲートウェイの中には、Ｔ．３８ゲートウェイ機能を備えているものの、着側（アナログ公衆回線網）の端末装置がグループ３ファクシミリ通信機能を備えていることを確認できた後に、Ｔ．３８通信可能である旨を発側のＴ．３８端末装置へ通知する仕様のものがある。
【００１１】
このために、Ｔ．３８端末装置がグループ３ファクシミリ装置へ発呼する際、中継に入るＶｏＩＰゲートウェイの機能によっては、適切に呼接続することができず、ファクシミリ通信を行えないという事態を生じるおそれがある。
【００１２】
本発明は、かかる実情に鑑みてなされたものであり、適切にアナログ公衆回線網に接続されているグループ３ファクシミリ装置に対してファクシミリ通信を行うことができるようにしたネットワーク通信装置を提供することを目的としている。
【課題を解決するための手段】
【００１３】
本発明は、音声通信機能を備えず、ＩＴＵ−Ｔ標準Ｔ．３８通信機能を備え、ＩＰ網を介して通信を行う機能を備えたネットワーク通信装置において、発呼時、Ｔ．３８通信能力およびダミーの音声能力を含む呼接続用信号を生成して呼接続動作を開始し、相手先ネットワーク通信装置より受信した呼接続用信号に基づいて、相手先ネットワーク通信装置がＴ．３８通信機能を備えていないことを検出すると、ダミーのＣＮＧパケットを送出した後に、Ｔ．３８通信動作を行うようにしたものである。
【００１４】
また、音声通信機能を備えず、ＩＴＵ−Ｔ標準Ｔ．３８通信機能を備え、ＩＰ網を介して通信を行う機能を備えたネットワーク通信装置において、発呼時、Ｔ．３８通信能力およびダミーの音声能力を含む呼接続用信号を生成して呼接続動作を開始し、相手先ネットワーク通信装置より受信した呼接続用信号に基づいて、相手先ネットワーク通信装置がＴ．３８通信機能を備えていないで、かつ、前記ダミーの音声能力を備えていることを検出した場合には、ダミーのＣＮＧパケットを送出した後に、Ｔ．３８通信動作を行う一方、相手先ネットワーク通信装置がＴ．３８通信機能を備えていないで、かつ、前記ダミーの音声能力を備えていないことを検出した場合には、ダミーのＣＮＧパケットを送出せずに、Ｔ．３８通信動作を行うようにしたものである。
【００１５】
また、音声通信機能を備えず、ＩＴＵ−Ｔ標準Ｔ．３８通信機能を備え、ＩＰ網を介して通信を行う機能を備えたネットワーク通信装置において、発呼時、Ｔ．３８通信能力およびダミーの音声能力を含む呼接続用信号を生成して呼接続動作を開始し、自端末の通信機能について、帯域制限が設定されていない場合には、相手先ネットワーク通信装置より受信した呼接続用信号に基づいて、相手先ネットワーク通信装置がＴ．３８通信機能を備えていないで、かつ、前記ダミーの音声能力を備えていることを検出したときには、ダミーのＣＮＧパケットを送出した後に、Ｔ．３８通信動作を行うとともに、相手先ネットワーク通信装置がＴ．３８通信機能を備えていないで、かつ、前記ダミーの音声能力を備えていないことを検出したときには、ダミーのＣＮＧパケットを送出せずに、Ｔ．３８通信動作を行う一方、自端末の通信機能について、帯域制限が設定されている場合には、ダミーのＣＮＧパケットを送出せずに、Ｔ．３８通信動作を行うようにしたものである。
【発明の効果】
【００１６】
したがって、本発明によれば、発呼時の呼接続手順上でゲートウェイとの間にダミーの音声チャネルを設定して、ダミーのＣＮＧパケットを送出するので、着側がファクシミリ自動切換動作を行っている場合には、電話機からファクシミリ装置側へ切換誘導することができ、適切にファクシミリ通信を行うことができるという効果を得る。
【００１７】
また、ゲートウェイ側にダミー音声能力と同じ音声能力が備えられていない場合には、Ｔ．３８通信動作を開始するので、ゲートウェイの機能に依存するものの、ファクシミリ通信を行うことができる場合があるという効果を得る。
【００１８】
また、自端末側に帯域制限が設定されている場合には、ダミーのＣＮＧパケットを送出せずにＴ．３８通信動作を開始するので、ゲートウェイの機能に依存するものの、ファクシミリ通信を行うことができる場合があるという効果を得る。
【発明を実施するための最良の形態】
【００１９】
以下、添付図面を参照しながら、本発明の実施の形態を詳細に説明する。
【００２０】
図１は、本発明の一実施例にかかる通信ネットワークの一例を示している。
【００２１】
同図において、ネットワーク通信装置ＦＸは、ＩＴＵ−Ｔ標準Ｔ．３８通信機能のみを備えるとともに、音声通信機能を備えていないものであり、インターネット（ＩＰ網）ＩＮＥＴを介して、他の通信端末装置との間で通信を行うことができる。
【００２２】
ゲートウェイ装置ＧＷは、インターネットＩＮＥＴと、アナログ公衆回線網ＰＳＴＮとの間を接続し、インターネットＩＮＥＴに接続されている端末装置（例えば、ネットワーク通信装置ＦＸ）と、アナログ公衆回線網ＰＳＴＮに接続されている通信装置（例えば、グループ３ファクシミリ装置ＧＸ）との間で通信を可能にするためのものであり、ＶｏＩＰゲートウェイ機能、および、Ｔ．３８ゲートウェイ機能を備えている。
【００２３】
また、グループ３ファクシミリ装置ＧＸは、ＣＣＩＴＴ勧告Ｔ．３０，Ｔ．４等の通信機能を備え、アナログ公衆回線網ＰＳＴＮを介してファクシミリ通信を行うことができる通信端末装置である。
【００２４】
図２は、ネットワーク通信装置ＦＸの一例を示している。
【００２５】
同図において、システム制御部１は、このネットワーク通信装置ＦＸの各部の制御処理、および、リアルタイム伝送制御手順（ＩＴＵ−Ｔ標準Ｔ．３８手順）処理などの各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このネットワーク通信装置ＦＸに固有な各種の情報を記憶するためのものであり、時計回路４は、現在時刻情報を出力するものである。
【００２６】
スキャナ５は、所定の解像度で原稿画像を読み取るためのものであり、プロッタ６は、所定の解像度で画像を記録出力するためのものであり、操作表示部７は、このファクシミリ装置を操作するためのもので、各種の操作キー、および、各種の表示器からなる。
【００２７】
符号化復号化部８は、画信号を符号化圧縮するとともに、符号化圧縮されている画情報を元の画信号に復号化するためのものであり、この場合には、画情報受信時のエラー検出を主目的として用いられる。また、磁気ディスク装置９は、符号化圧縮された状態の画情報ファイルを多数記憶したり、それ以外の適宜なデータファイル等を蓄積するためのものである。
【００２８】
インターネット通信制御部１０は、このネットワーク通信装置ＦＸをインターネットＩＮＥＴへ接続し、インターネットＩＮＥＴを介して種々のデータをやりとりするためのものであり、ＴＣＰ／ＩＰパケット解析部１１は、ＴＣＰモード時に、インターネット通信制御部１０が受信したＴＣＰ／ＩＰパケットを解析して受信情報を取り出すためのものであり、ＵＤＰパケット解析部１２は、ＵＤＰモード時に、インターネット通信制御部１０が受信したＵＤＰパケットを解析して受信情報を取り出すためのものである。
【００２９】
グループ３プロトコル情報生成部１３は、リアルタイム伝送手順において、ＴＣＰモード時はＴＣＰ／ＩＰパケット解析部１１から出力される受信情報を対応するグループ３伝送手順信号情報に変換するとともに、ＵＤＰモード時はＵＤＰパケット解析部１２から出力される受信情報を対応するグループ３伝送手順信号情報に変換するものである。
【００３０】
グループ３プロトコル情報取出部１４は、リアルタイム伝送手順において、送信するグループ３ファクシミリ伝送手順情報を取り出すためのものであり、ＴＣＰ／ＩＰパケット変換部１５は、ＴＣＰモード時、グループ３プロトコル情報取出部１４から出力されるグループ３ファクシミリ伝送手順情報をＴＣＰ／ＩＰパケットデータへ変換するためのものであり、その出力データは、インターネット通信制御部１０へ加えられる。
【００３１】
また、ＵＤＰパケット変換部１６は、ＵＤＰモード時、グループ３プロトコル情報取出部１４から出力されるグループ３ファクシミリ伝送手順情報をＵＤＰパケットデータへ変換するためのものであり、その出力データは、インターネット通信制御部１０へ加えられる。
【００３２】
これらの、システム制御部１、システムメモリ２、パラメータメモリ３、時計回路４、スキャナ５、プロッタ６、操作表示部７、符号化復号化部８、磁気ディスク装置９、グループ３プロトコル情報生成部１３、および、グループ３プロトコル情報取出部１４は、内部バス１７に接続されており、これらの各要素間でのデータのやりとりは、主としてこの内部バス１７を介して行われている。
【００３３】
また、本実施例では、呼接続動作に際して、ゲートウェイ装置ＧＷに対してダミーの音声能力を通知し、ダミーのＣＮＧパケット（後述）を送出する。そのために、ダミーの音声能力に応じたＣＮＧパケットのデータを、例えば、磁気ディスク装置９に保存している。
【００３４】
例えば、ダミー音声能力として、ＩＴＵ−Ｔ標準Ｇ７１１能力、および、ＩＴＵ−Ｔ標準Ｇ７２９ＡｎｎｅｘＡ能力を備えると設定される場合には、所定のトーン信号であるＣＮＧ信号をＧ７１１方式で音声符号化した音声データであるダミーＣＮＧデータ＃１と、ＣＮＧ信号をＧ７２９ＡｎｎｅｘＡ方式で音声符号化した音声データであるダミーＣＮＧデータ＃２が、あらかじめ形成されて、磁気ディスク装置９に保存される（図３参照）。
【００３５】
図４は、ネットワーク通信装置ＦＸが、ゲートウェイ装置ＧＷを介して、グループ３ファクシミリ装置ＧＸと通信するときの手順の一例を示している。この場合、呼接続手順として、ＩＴＵ−Ｔ標準Ｈ．３２３を適用した場合である。
【００３６】
まず、ネットワーク通信装置ＦＸのユーザは、ゲートウェイ装置ＧＷの宛先情報と、最終宛先であるグループ３ファクシミリ装置ＧＸの宛先情報を指定した状態で、送信動作の開始を指令する。
【００３７】
これにより、ネットワーク通信装置ＦＸは、ゲートウェイ装置ＧＷに対して呼接続要求を行って呼接続チャネルをゲートウェイ装置ＧＷとの間に確立し、メッセージＳＥＴＵＰを送出する。このメッセージＳＥＴＵＰには、ファーストコネクト手順を使用する旨を宣言する情報（ｆａｓｔＳｔａｒｔ）が含まれるとともに、自端末の通信機能として、Ｔ．３８通信能力、および、ダミーの音声能力（この場合、Ｇ７１１，Ｇ７２９ＡｎｎｅｘＡ）が含まれ、また、最終宛先（この場合は、グループ３ファクシミリ装置ＧＸ）の宛先情報が含まれる。
【００３８】
これにより、ゲートウェイ装置ＧＷは、指定された最終宛先であるグループ３ファクシミリ装置ＧＸへ発呼するとともに、ネットワーク通信装置ＦＸに対して、呼接続チャネル上で呼接続手順用のメッセージＣＡＬＬ  ＰＲＯＣＥＥＤＩＮＧ，ＡＬＥＲＴＩＮＧを所定の呼接続手順に従って順次送出する。またゲートウェイ装置ＧＷは、グループ３ファクシミリ装置ＧＸに対してＲＩＮＧＩＮＧ（呼出音送出）を行う。
【００３９】
ここで、ゲートウェイ装置ＧＷからネットワーク通信装置ＦＸへ送出されるメッセージＣＡＬＬ  ＰＲＯＣＥＥＤＩＮＧ，ＡＬＥＲＴＩＮＧ，ＣＯＮＮＥＣＴ（後述）には、ＯＬＣ（ＯｐｅｎＬｏｇｉｃａｌＣｈａｎｎｅｌ）情報が含まれる。
【００４０】
このＯＬＣ情報には、その中に着呼側端末が実際に通信を行う論理チャネル情報、および、使用する通信機能情報が設定されている。また、論理チャネル情報は複数設定される場合がある。また、指定したそれぞれの論理チャネルを利用して、Ｔ．３８通信と音声通信が行われる。本実施例の場合には、音声通信用に設定される論理チャネルの接続を維持するために、ＲＴＣＰパケットの送出を開始する。
【００４１】
そして、ネットワーク通信装置ＦＸは、保存しているダミーＣＮＧパケット＃１（Ｇ７１１音声パケット）とダミーＣＮＧパケット＃２（Ｇ７２９ＡｎｎｅｘＡ音声パケット）のうち、通知された音声能力と一致するものを送出する。
【００４２】
これにより、ゲートウェイ装置ＧＷは、グループ３ファクシミリ装置ＧＸに対して、ＣＮＧ信号（トーン信号）を送出する。
【００４３】
このＣＮＧ信号を受信したグループ３ファクシミリ装置ＧＸは、着信応答し、それにより、ゲートウェイ装置ＧＷは、メッセージＣＯＮＮＥＣＴをネットワーク通信装置ＦＸへ送信する。
【００４４】
次いで、グループ３ファクシミリ装置ＧＸは、ＩＴＵ−Ｔ標準Ｔ．３０に従って、グループ３ファクシミリ伝送手順の最初の応答信号である信号ＣＥＤ（トーン信号）を応答する。また、グループ３ファクシミリ装置ＧＸが電話機（通話機能）とファクシミリ通信機能とを自動切換えするように設定されている場合、トーン信号ＣＮＧを検出すると、ファクシミリ通信機能に自動切換えされ、同様に、グループ３ファクシミリ装置ＧＸは、信号ＣＥＤを応答する。
【００４５】
このようにしてグループ３ファクシミリ装置ＧＸが信号ＣＥＤを応答すると、ゲートウェイ装置ＧＷは、その時点で、着側端末にグループ３ファクシミリ通信機能を備えていることが判明するので、それ以降、ファクシミリ通信を行う動作に切り換わる。
【００４６】
それとともに、ゲートウェイ装置ＧＷとネットワーク通信装置ＦＸとの間では、ＩＴＵ−Ｔ標準Ｈ．２４５手順が行われる。まず、信号ＴＣＳを交換して能力交換を行い、ゲートウェイ装置ＧＷがネットワーク通信装置ＦＸに対して信号ＲＥＱＭＯＤＥによりＴ．３８通信要求を通知する。
【００４７】
それに対して、ネットワーク通信装置ＦＸは、Ｔ．３８ゲートウェイ通信を受け付けるために、信号ＲＥＱＭＯＤＥ−ａｃｋを送信する。次いで、ネットワーク通信装置ＦＸは、不要になった音声チャネルを解放する手順をゲートウェイ装置ＧＷとの間で行った後に、Ｔ．３８データ通信に必要なデータチャネルの確立をゲートウェイ装置ＧＷとの間で行う。
【００４８】
このようにして、ネットワーク通信装置ＦＸとゲートウェイ装置ＧＷとの間にＴ．３８データ通信のための論理チャネルが確立すると、それ以降、ネットワーク通信装置ＦＸとゲートウェイ装置ＧＷとの間ではＴ．３８データ通信が行われるとともに、ゲートウェイ装置ＧＷとグループ３ファクシミリ装置ＧＸとの間ではＴ．３０手順に従ったグループ３ファクシミリ通信動作が行われ、例えば、ネットワーク通信装置ＦＸからグループ３ファクシミリ装置ＧＸへ、ゲートウェイ装置ＧＷを介し、画情報が送信される。
【００４９】
そして、Ｔ．３８通信動作を終了すると、ネットワーク通信装置ＦＸは、呼解放手順に従って、ゲートウェイ装置ＧＷに呼接続チャネル上でメッセージＲＥＬＥＡＳＥ  Ｃｏｍｐを送出し、一連の送信動作を終了する。
【００５０】
また、それにより、ゲートウェイ装置ＧＷは、グループ３ファクシミリ装置ＧＸとの間の呼を切断する。
【００５１】
このようにして、本実施例では、ファクシミリ通信を行う際にゲートウェイ装置ＧＷに送出する呼接続用のメッセージに、通信を要求する通信機能として、Ｔ．３８通信機能（ファクシミリ通信機能）のみならず、ダミーの音声通信機能も通知するようにしているので、ゲートウェイ装置ＧＷが、着側の端末がファクシミリ装置であることが確認された場合にのみＴ．３８データ通信を行うようなものであっても、適切に最終宛先のグループ３ファクシミリ装置ＧＸとの間に通信チャネルを確立することができ、適切に送信動作を行うことができる。
【００５２】
図５は、この場合のネットワーク通信装置ＦＸの発呼時の処理の一例を示している。
【００５３】
まず、ファーストコネクト手順を使用する旨を宣言する情報（ｆａｓｔＳｔａｒｔ）、Ｔ．３８通信能力、ダミーの音声能力（この場合、Ｇ７１１，Ｇ７２９ＡｎｎｅｘＡ）、および、最終宛先の宛先情報を含むメッセージＳＥＴＵＰをゲートウェイ装置ＧＷへ送出する（処理１０１）。
【００５４】
そして、ゲートウェイ装置ＧＷよりメッセージＣＡＬＬ  ＰＲＯＣＥＥＤＩＮＧ，ＡＬＥＲＴＩＮＧを受信すると（処理１０２）、それらのメッセージに含まれるＯＬＣ情報を調べて、ゲートウェイ装置ＧＷがＴ．３８通信機能を備えている旨を通知しているかどうかを調べる（判断１０３）。
【００５５】
判断１０３の結果がＮＯになるときには、ゲートウェイ装置ＧＷが音声能力を備えているかどうかを調べる（判断１０４）。判断１０４の結果がＹＥＳになるときには、音声ＲＴＣＰパケットの送出を開始する（処理１０５）。
【００５６】
次いで、ゲートウェイ装置ＧＷが備えている音声能力と、自端末がダミー音声能力として通知したもので、一致するものがあるかどうかを調べる（判断１０６）。判断１０６の結果がＹＥＳになるときには、一致した音声能力に対応したダミーＣＮＧパケットを送信する（処理１０７）。また、判断１０６の結果がＮＯになるときには、処理１０７を実行しない。
【００５７】
次いで、ゲートウェイ装置ＧＷとの間で、Ｈ．２４５手順のうち、信号ＲＥＱＭＯＤＥを受信するまでの前半部を行い（処理１０８）、信号ＲＥＱＭＯＤＥを受信すると、その信号ＲＥＱＭＯＤＥにＴ．３８データ通信を行う要求が含まれているかどうかを調べる（判断１０９）。
【００５８】
判断１０９の結果がＹＥＳになるときには、Ｈ．２４５手順の残りの後半部を実行し、Ｔ．３８データ通信に適用する論理チャネルを確立する（処理１１０）。
【００５９】
そして、その確立した論理チャネルを用いてＴ．３８データ通信を行い（処理１１１）、そのＴ．３８データ通信を終了すると、呼切断動作を行って（処理１１２）、一連の発信時の動作を終了する。
【００６０】
一方、ゲートウェイ装置ＧＷから受信した信号ＲＥＱＭＯＤＥにＴ．３８データ通信を行う要求が含まれていない場合で、判断１０９の結果がＮＯになるとき、および、ゲートウェイ装置ＧＷが音声能力を備えていない場合で、判断１０４の結果がＮＯになるときには、呼切断動作を行い（処理１１３）、そのときの発信動作をエラー終了する。
【００６１】
また、ゲートウェイ装置ＧＷがＴ．３８通信機能を備えていることが判明した場合で、判断１０３の結果がＹＥＳになるときには、所定のファーストコネクト手順を実行して論理チャネルを確立した後、処理１１１へ進み、所定のＴ．３８通信動作を実行する。
【００６２】
このようにして、本実施例では、ゲートウェイ装置ＧＷの通信能力に応じて呼接続動作、および、Ｔ．３８通信動作を行うようにしているので、宛先のグループ３ファクシミリ装置ＧＸとの間で通信動作を行うことができる可能性が非常に高くなり、可用性の高いＴ．３８通信を実現することができる。
【００６３】
図６は、ネットワーク通信装置ＦＸの発呼時の処理の他の例を示している。
【００６４】
まず、ファーストコネクト手順を使用する旨を宣言する情報（ｆａｓｔＳｔａｒｔ）、Ｔ．３８通信能力、ダミーの音声能力（この場合、Ｇ７１１，Ｇ７２９ＡｎｎｅｘＡ）、および、最終宛先の宛先情報を含むメッセージＳＥＴＵＰをゲートウェイ装置ＧＷへ送出する（処理２０１）。
【００６５】
そして、ゲートウェイ装置ＧＷよりメッセージＣＡＬＬ  ＰＲＯＣＥＥＤＩＮＧ，ＡＬＥＲＴＩＮＧを受信すると（処理２０２）、それらのメッセージに含まれるＯＬＣ情報を調べて、ゲートウェイ装置ＧＷがＴ．３８通信機能を備えている旨を通知しているかどうかを調べる（判断２０３）。
【００６６】
判断２０３の結果がＮＯになるときには、ゲートウェイ装置ＧＷが音声能力を備えているかどうかを調べる（判断２０４）。判断２０４の結果がＹＥＳになるときには、音声ＲＴＣＰパケットの送出を開始する（処理２０５）。
【００６７】
次いで、自端末に、データ通信に使用する帯域を制限する設定がされているかどうかを調べる（判断２０６）。判断２０６の結果がＮＯになるときには、ゲートウェイ装置ＧＷが備えている音声能力と、自端末がダミー音声能力として通知したもので、一致するものがあるかどうかを調べる（判断２０７）。
【００６８】
判断２０７の結果がＹＥＳになるときには、一致した音声能力に対応したダミーＣＮＧパケットを送信する（処理２０８）。また、判断２０７の結果がＮＯになるとき、および、判断２０６の結果がＮＯになるときには、処理２０８を実行せず、したがって、この場合にはダミーＣＮＧパケットを送出しない。
【００６９】
次いで、ゲートウェイ装置ＧＷとの間で、Ｈ．２４５手順のうち、信号ＲＥＱＭＯＤＥを受信するまでの前半部を行い（処理２０９）、信号ＲＥＱＭＯＤＥを受信すると、その信号ＲＥＱＭＯＤＥにＴ．３８データ通信を行う要求が含まれているかどうかを調べる（判断２１０）。
【００７０】
判断２１０の結果がＹＥＳになるときには、Ｈ．２４５手順の残りの後半部を実行し、Ｔ．３８データ通信に適用する論理チャネルを確立する（処理２１１）。
【００７１】
そして、その確立した論理チャネルを用いてＴ．３８データ通信を行い（処理２１２）、そのＴ．３８データ通信を終了すると、呼切断動作を行って（処理２１３）、一連の発信時の動作を終了する。
【００７２】
一方、ゲートウェイ装置ＧＷから受信した信号ＲＥＱＭＯＤＥにＴ．３８データ通信を行う要求が含まれていない場合で、判断２１０の結果がＮＯになるとき、および、ゲートウェイ装置ＧＷが音声能力を備えていない場合で、判断２０４の結果がＮＯになるときには、呼切断動作を行い（処理２１４）、そのときの発信動作をエラー終了する。
【００７３】
また、ゲートウェイ装置ＧＷがＴ．３８通信機能を備えていることが判明した場合で、判断２０３の結果がＹＥＳになるときには、所定のファーストコネクト手順を実行して論理チャネルを確立した後、処理２１２へ進み、所定のＴ．３８通信動作を実行する。
【００７４】
図７は、呼接続手順としてＳＩＰを適用した場合において、ネットワーク通信装置ＦＸが、ゲートウェイ装置ＧＷを介して、グループ３ファクシミリ装置ＧＸと通信するときの手順の一例を示している。
【００７５】
ここで、ＳＩＰとは、ＩＥＴＦ（Ｉｎｔｅｒｎｅｔ  Ｅｎｇｉｎｅｅｒｉｎｇ  Ｔａｓｋ  Ｆｏｒｃｅ）というインターネットに関する技術内容をまとめている組織に設けられているワーキンググループ（作業部会）により、その内容が定められたものである。
【００７６】
まず、ネットワーク通信装置ＦＸのユーザは、ゲートウェイ装置ＧＷの宛先情報と、最終宛先であるグループ３ファクシミリ装置ＧＸの宛先情報を指定した状態で、送信動作の開始を指令する。
【００７７】
これにより、ネットワーク通信装置ＦＸは、ゲートウェイ装置ＧＷに対して信号ＩＮＶＩＴＥを送信する。ここで、、ネットワーク通信装置ＦＸとゲートウェイ装置ＧＷは、信号ＩＮＶＩＴＥ，１００（Ｔｒｙｉｎｇ），１８０（Ｒｉｎｇｉｎｇ），２００（ＯＫ），ＡＣＫを交換することで、相互の通信能力の交換を行っている。
【００７８】
ゲートウェイ装置ＧＷは、信号ＩＮＶＩＴＥを受信すると、信号ＩＮＶＩＴＥにより指定された最終宛先であるグループ３ファクシミリ装置ＧＸへ発呼するとともに、ネットワーク通信装置ＦＸに対して、信号１００（Ｔｒｙｉｎｇ）を送信する。またゲートウェイ装置ＧＷは、グループ３ファクシミリ装置ＧＸに対してＲＩＮＧＩＮＧ（呼出音送出）を行い、ネットワーク通信装置ＦＸに対して信号１８０（Ｒｉｎｇｉｎｇ）を送信し、次いで、２００（ＯＫ）を送信する。
【００７９】
ネットワーク通信装置ＦＸは、信号２００（ＯＫ）を受信した時点で、ゲートウェイ装置ＧＷの通信能力を判別することができ、また、音声チャネルの接続を維持するために、ＲＴＣＰパケットの送出を開始する。また、信号ＡＣＫをゲートウェイ装置ＧＷに送信する。
【００８０】
次に、ネットワーク通信装置ＦＸは、保存しているダミーＣＮＧパケット＃１（Ｇ７１１音声パケット）とダミーＣＮＧパケット＃２（Ｇ７２９ＡｎｎｅｘＡ音声パケット）のうち、通知された音声能力と一致するものを送出する。
【００８１】
これにより、ゲートウェイ装置ＧＷは、グループ３ファクシミリ装置ＧＸに対して、ＣＮＧ信号（トーン信号）を送出する。
【００８２】
このＣＮＧ信号を受信したグループ３ファクシミリ装置ＧＸは、着信応答し、それにより、ゲートウェイ装置ＧＷは、メッセージＣＯＮＮＥＣＴをネットワーク通信装置ＦＸへ送信する。
【００８３】
次いで、グループ３ファクシミリ装置ＧＸは、ＩＴＵ−Ｔ標準Ｔ．３０に従って、グループ３ファクシミリ伝送手順の最初の応答信号である信号ＣＥＤ（トーン信号）を応答する。また、グループ３ファクシミリ装置ＧＸが電話機（通話機能）とファクシミリ通信機能とを自動切換えするように設定されている場合、トーン信号ＣＮＧを検出すると、ファクシミリ通信機能に自動切換えされ、同様に、グループ３ファクシミリ装置ＧＸは、信号ＣＥＤを応答する。
【００８４】
このようにしてグループ３ファクシミリ装置ＧＸが信号ＣＥＤを応答すると、ゲートウェイ装置ＧＷは、その時点で、着側端末にグループ３ファクシミリ通信機能を備えていることが判明するので、それ以降、ファクシミリ通信を行う動作に切り換わる。
【００８５】
この場合、ゲートウェイ装置ＧＷは、ネットワーク通信装置ＦＸに対して信号ＩＮＶＩＴＥ（ＲＥ−ＩＮＶＩＴＥ）を送信して、Ｔ．３８通信要求を通知する。
【００８６】
それに対して、ネットワーク通信装置ＦＸは、Ｔ．３８ゲートウェイ通信を受け付けるために、信号２００（ＯＫ）を送信する。また、ゲートウェイ装置ＧＷは、ネットワーク通信装置ＦＸに信号ＡＣＫを送信する。
【００８７】
これにより、Ｔ．３８データ通信のための論理チャネルが確立するので、それ以降、ネットワーク通信装置ＦＸとゲートウェイ装置ＧＷとの間ではＴ．３８データ通信が行われるとともに、ゲートウェイ装置ＧＷとグループ３ファクシミリ装置ＧＸとの間ではＴ．３０手順に従ったグループ３ファクシミリ通信動作が行われ、例えば、ネットワーク通信装置ＦＸからグループ３ファクシミリ装置ＧＸへ、ゲートウェイ装置ＧＷを介し、画情報が送信される。
【００８８】
そして、Ｔ．３８通信動作を終了すると、ネットワーク通信装置ＦＸは、呼解放手順に従って、ゲートウェイ装置ＧＷに信号ＢＹＥを送信し、それにより、ゲートウェイ装置ＧＷは、グループ３ファクシミリ装置ＧＸとの間の呼を切断し、信号２００（ＯＫ）をネットワーク通信装置ＦＸへ送信する。
【００８９】
このようにして、本実施例では、ファクシミリ通信を行う際にゲートウェイ装置ＧＷに送出する呼接続用のメッセージに、通信を要求する通信機能として、Ｔ．３８通信機能（ファクシミリ通信機能）のみならず、ダミーの音声通信機能も通知するようにしているので、ゲートウェイ装置ＧＷが、着側の端末がファクシミリ装置であることが確認された場合にのみＴ．３８データ通信を行うようなものであっても、適切に最終宛先のグループ３ファクシミリ装置ＧＸとの間に通信チャネルを確立することができ、適切に送信動作を行うことができる。
【００９０】
図８は、この場合のネットワーク通信装置ＦＸの発呼時の処理の一例を示している。
【００９１】
まず、Ｔ．３８通信能力、ダミーの音声能力（この場合、Ｇ７１１，Ｇ７２９ＡｎｎｅｘＡ）、および、最終宛先の宛先情報を含む信号ＩＮＶＩＴＥをゲートウェイ装置ＧＷへ送出する（処理３０１）。
【００９２】
そして、ゲートウェイ装置ＧＷより信号１８０（Ｒｉｎｇｉｎｇ），２００（ＯＫ）を受信すると（処理３０２）、それらのメッセージに含まれる通信能力情報を調べて、ゲートウェイ装置ＧＷがＴ．３８通信機能を備えている旨を通知しているかどうかを調べる（判断３０３）。
【００９３】
判断３０３の結果がＮＯになるときには、ゲートウェイ装置ＧＷが音声能力を備えているかどうかを調べる（判断３０４）。判断３０４の結果がＹＥＳになるときには、音声ＲＴＣＰパケットの送出を開始する（処理３０５）。
【００９４】
次いで、ゲートウェイ装置ＧＷが備えている音声能力と、自端末がダミー音声能力として通知したもので、一致するものがあるかどうかを調べる（判断３０６）。判断３０６の結果がＹＥＳになるときには、一致した音声能力に対応したダミーＣＮＧパケットを送信する（処理３０７）。また、判断３０６の結果がＮＯになるときには、処理３０７を実行しない。
【００９５】
次いで、ゲートウェイ装置ＧＷから信号ＩＮＶＩＴＥ（ＲＥ−ＩＮＶＩＴＥ）を受信すると、信号２００（ＯＫ）を応答する（処理３０８）。そして、受信した信号ＩＮＶＩＴＥ（ＲＥ−ＩＮＶＩＴＥ）にＴ．３８データ通信を行う要求が含まれているかどうかを調べる（判断３０９）。
【００９６】
判断３０９の結果がＹＥＳになるときには、Ｔ．３８データ通信に適用する論理チャネルを確立し、その確立した論理チャネルを用いてＴ．３８データ通信を行い（処理３１０）、そのＴ．３８データ通信を終了すると、呼切断動作を行って（処理３１１）、一連の発信時の動作を終了する。
【００９７】
一方、ゲートウェイ装置ＧＷから受信した信号ＩＮＶＩＴＥ（ＲＥ−ＩＮＶＩＴＥ）にＴ．３８データ通信を行う要求が含まれていない場合で、判断３０９の結果がＮＯになるとき、および、ゲートウェイ装置ＧＷが音声能力を備えていない場合で、判断３０４の結果がＮＯになるときには、呼切断動作を行い（処理３１２）、そのときの発信動作をエラー終了する。
【００９８】
また、ゲートウェイ装置ＧＷがＴ．３８通信機能を備えていることが判明した場合で、判断３０３の結果がＹＥＳになるときには、Ｔ．３８データ通信に適用する論理チャネルを確立し、処理３１０へ移行し、その確立した論理チャネルを用いてＴ．３８データ通信を行う。
【００９９】
このようにして、本実施例では、ゲートウェイ装置ＧＷの通信能力に応じて呼接続動作、および、Ｔ．３８通信動作を行うようにしているので、宛先のグループ３ファクシミリ装置ＧＸとの間で通信動作を行うことができる可能性が非常に高くなり、可用性の高いＴ．３８通信を実現することができる。
【０１００】
図９は、ネットワーク通信装置ＦＸの発呼時の処理の他の例を示している。
【０１０１】
まず、Ｔ．３８通信能力、ダミーの音声能力（この場合、Ｇ７１１，Ｇ７２９ＡｎｎｅｘＡ）、および、最終宛先の宛先情報を含む信号ＩＮＶＩＴＥをゲートウェイ装置ＧＷへ送出する（処理４０１）。
【０１０２】
そして、ゲートウェイ装置ＧＷより信号１８０（Ｒｉｎｇｉｎｇ），２００（ＯＫ）を受信すると（処理４０２）、それらのメッセージに含まれる通信能力情報を調べて、ゲートウェイ装置ＧＷがＴ．３８通信機能を備えている旨を通知しているかどうかを調べる（判断４０３）。
【０１０３】
判断４０３の結果がＮＯになるときには、ゲートウェイ装置ＧＷが音声能力を備えているかどうかを調べる（判断４０４）。判断４０４の結果がＹＥＳになるときには、音声ＲＴＣＰパケットの送出を開始する（処理４０５）。
【０１０４】
次いで、自端末に、データ通信に使用する帯域を制限する設定がされているかどうかを調べる（判断４０６）。判断４０６の結果がＮＯになるときには、ゲートウェイ装置ＧＷが備えている音声能力と、自端末がダミー音声能力として通知したもので、一致するものがあるかどうかを調べる（判断４０７）。判断４０７の結果がＹＥＳになるときには、一致した音声能力に対応したダミーＣＮＧパケットを送信する（処理４０８）。
【０１０５】
また、判断４０７の結果がＮＯになるとき、および、判断４０６の結果がＮＯになるときには、処理４０８を実行せず、したがって、この場合にはダミーＣＮＧパケットを送出しない。
【０１０６】
次いで、ゲートウェイ装置ＧＷから信号ＩＮＶＩＴＥ（ＲＥ−ＩＮＶＩＴＥ）を受信すると、信号２００（ＯＫ）を応答する（処理４０９）。そして、受信した信号ＩＮＶＩＴＥ（ＲＥ−ＩＮＶＩＴＥ）にＴ．３８データ通信を行う要求が含まれているかどうかを調べる（判断４１０）。
【０１０７】
判断４１０の結果がＹＥＳになるときには、Ｔ．３８データ通信に適用する論理チャネルを確立し、その確立した論理チャネルを用いてＴ．３８データ通信を行い（処理４１１）、そのＴ．３８データ通信を終了すると、呼切断動作を行って（処理４１２）、一連の発信時の動作を終了する。
【０１０８】
一方、ゲートウェイ装置ＧＷから受信した信号ＩＮＶＩＴＥ（ＲＥ−ＩＮＶＩＴＥ）にＴ．３８データ通信を行う要求が含まれていない場合で、判断４１０の結果がＮＯになるとき、および、ゲートウェイ装置ＧＷが音声能力を備えていない場合で、判断４０４の結果がＮＯになるときには、呼切断動作を行い（処理４１３）、そのときの発信動作をエラー終了する。
【０１０９】
また、ゲートウェイ装置ＧＷがＴ．３８通信機能を備えていることが判明した場合で、判断４０３の結果がＹＥＳになるときには、Ｔ．３８データ通信に適用する論理チャネルを確立し、処理４１１へ移行し、その確立した論理チャネルを用いてＴ．３８データ通信を行う。
【０１１０】
なお、本発明は、Ｔ．３８データ通信機能を備えた通信端末装置であれば、上述した実施例に説明した構成以外の構成を備える装置についても、同様にして適用することができる。
【図面の簡単な説明】
【０１１１】
【図１】本発明の一実施例にかかる通信ネットワークの一例を示したブロック図。
【図２】ネットワーク通信装置ＦＸの一例を示したブロック図。
【図３】保存されたダミーＣＮＧパケットの一例を示した概略図。
【図４】ネットワーク通信装置ＦＸが、ゲートウェイ装置ＧＷを介して、グループ３ファクシミリ装置ＧＸと通信するときの手順の一例を示したタイムチャート（この場合、呼接続手順として、ＩＴＵ−Ｔ標準Ｈ．３２３を適用している）。
【図５】ネットワーク通信装置ＦＸの発呼時の処理の一例を示したフローチャート。
【図６】ネットワーク通信装置ＦＸの発呼時の処理の他の例を示したフローチャート。
【図７】ネットワーク通信装置ＦＸが、ゲートウェイ装置ＧＷを介して、グループ３ファクシミリ装置ＧＸと通信するときの手順の他の例を示したタイムチャート（この場合、呼接続手順として、ＳＩＰを適用している）。
【図８】ネットワーク通信装置ＦＸの発呼時の処理のさらに他の例を示したフローチャート。
【図９】ネットワーク通信装置ＦＸの発呼時の処理のまたさらに他の例を示したフローチャート。
【符号の説明】
【０１１２】
ＦＸ  ネットワーク通信装置
ＧＷ  ゲートウェイ装置
ＧＸ  グループ３ファクシミリ装置
【図１】
2006157120.tif 000003
【図２】
2006157120.tif 000004
【図３】
2006157120.tif 000005
【図４】
2006157120.tif 000006
【図５】
2006157120.tif 000007
【図６】
2006157120.tif 000008
【図７】
2006157120.tif 000009
【図８】
2006157120.tif 000010
【図９】
2006157120.tif 000011